(57)【要約】      （修正有）【課題】外側操作部材の操作力に起因する大きな荷重が錠前の構成部材に直接かからないようにして、錠前の内部機構を保護する。【解決手段】ドアを開閉するための操作部材と、操作部材の操作力によって駆動されるようにケース１１に設けられた第１回転体１２と、第１回転体の駆動力によって直線運動するようにケースに設けられかつリミッター部材５１を備えたスライダー１４と、スライダーに連動するようにケースに設けられた第２回転体２２と、第２回転体の回転力によって移動するようにケースとは別個の錠箱に設けられた施錠片とから成る。リミッター部材は、第２回転体と係合する可動係合杆５２と、可動係合杆に設けられた弾性要素５３とから成り、弾性要素は、第２回転体がスライダーの移動中に停止した時に、さらにスライダーが操作部材の操作力によってそのまま移動し続けた場合に、第２回転体に対するスライダーの荷重を緩和するように制御する。【選択図】図５
2014037709.tif 000002
【特許請求の範囲】
【請求項１】
ドアを開閉するための操作部材と、該操作部材の操作力によって駆動されるようにケースに設けられた駆動体と、この駆動体の駆動力によって直線運動するように前記ケースに設けられかつリミッター部材を備えたスライダーと、該スライダーに連動するように前記ケースに設けられた回転体と、この回転体の回転力によって移動するように前記ケースとは別個の錠箱に設けられた施錠片とから成るドア用錠装置であって、前記リミッター部材は、前記回転体と係合する可動係合杆と、該可動係合杆に設けられた弾性要素とから成り、前記回転体が前記スライダーの移動中に停止した時に、さらに、該スライダーが前記操作部材の操作力によってそのまま移動し続けて前記可動係合杆を位置変位させた場合には、前記弾性要素は、該回転体に対する前記スライダーの荷重を緩和するように制御する収縮リミッターであることを特徴とするドア用錠装置。
【請求項２】
請求項１に於いて、扉の外壁面に外側操作部材用の台座部材が固定され、一方、前記扉の木口又は扉の内壁面のいずれかに錠前を構成する錠箱が設けられ、前記錠前と前記外側操作部材用の台座部材との間に介在するように前記扉にケースが固定されていることを特徴とするドア用錠装置。
【請求項３】
請求項１に於いて、駆動体はケースに回転自在に支持され、かつ前記外側操作部材の操作力で所定量回転する第１回転体であり、またスライダーは、前記第１回転体と係合し、該第１回転体の駆動力によってかつ復帰バネのバネ力に抗してケースの上下又は左右方向のいずれかに移動するスライダーであり、さらに、収縮リミッターに制御される回転体は、前記第１回転体とは別個に併設された第２回転体であり、該第２回転体は、前記スライダーに係合すると共に、前記第１回転体に連動するようにケースに回転自在に支持され、かつ前記外側操作部材の操作時に該第１回転体の回転角よりも大きく回転する連動カムであることを特徴とするドア用錠装置。
【請求項４】
請求項３に於いて、第２回転体の回転中心からその係合腕の先端までの距離は、第１回転体の回転中心から該その駆動腕の先端までの距離よりも短いことを特徴とするドア用錠装置。
【請求項５】
請求項１に於いて、ケース内には制御部で制御される駆動源が配設され、該駆動源の駆動力により係止片が作動して第１回転体を係止する、又はその係止を解くことを特徴とするドア用錠装置。
【請求項６】
請求項１に於いて、扉に設けられた錠前がパニックバーを備え、該パニックバーの操作力で作動する作動部材を介して第２回転体を回転させ、錠前の施錠片を錠箱内に完全に戻すことを特徴とするドア用錠装置。
【発明の詳細な説明】
【技術分野】
【０００１】
本発明はドア用錠装置に関し、特に、建具としての扉の自由端部に配設されるドア用錠装置に関する。
【背景技術】
【０００２】
符号は、各特許文献のものを援用する。特許文献１には、トルクリミッター機構付き組み合わせ型錠装置が記載されている。この特許文献１の発明の目的は、施錠ロ−タのトルクを止め金板に伝達させずに空転させることにより、錠前の内部機構を保護することである。その解決手段として、例えば図４に示されている円形状の駆動ロータ４の凹所４ｂにトルク伝達用ボ−ル８を圧縮コイルバネ９によって圧接させている。
【０００３】
また特許文献２には、ドア錠が記載されている。この特許文献２の図１と段落００１４には、錠前が破壊されるのを防止するために、トルクリミッター１８ａがカム部材１２を構成する第１カム１２ａと第２カム１２ｂとの間に設け、前記トルクリミッター１８ａは、前記第１カム１２ａの突起部分２１に形成された凹所２１ａと、該凹所２１ａに圧接する係合ボールと、該係合ボールを付勢するように前記第２カム１２ｂの係合穴２２ｃに組み込まれたバネとから成る。
【０００４】
以上のように、錠前の技術分野では、一般的に、リミッター部材は、一定以上の荷重が回転体に加わると、トルクリミッターの働きにより、伝達力を遮断し、回転体を空回りさせている。
【０００５】
しかしながら、上記のトルク伝達用ボ−ル８や係合ボールは、摩耗するという欠点がある、錠装置が回転体を空回りさせる構造のものに限定される等の問題点がある。
ところで、特許文献３の扉錠装置は、箱錠のハンドルの操作角度を小さくしても、錠前側のカムも回動角度を変更する必要がない利便さを得るために（発明の課題）、「従来のハブ（第１回転体）を一次ハブ４３と二次ハブ４４とにより構成される２分割構造のハブ４２とし、ケースに回動可能に嵌着される一次ハブ４３に、偏心軸４９とハンドルＨの嵌合孔４８を設け、ケースに回動可能に嵌着される二次ハブ４４に、偏心軸４９が挿入される軸挿入孔５２と、レトラクタ２１の被押動部３９を押動する押動部２０を設け、一次ハブ４３の回動中心から偏心軸４９までの距離よりも、二次ハブ４４の回動中心から軸挿入孔５２の距離を小さくしたもの」である。
【０００６】
この特許文献３の扉錠装置は、ハンドル側の動力を変換する部材の点数を減らすことができるという利点があるものの、変換部材としての一次ハブ４３と二次ハブ４４の各嵌合孔４８、５３は、いわば一芯軸上に位置するので、錠前側のカムの位置が限定される。つまり、錠前側のカムの位置を自由に決めることができない。
【０００７】
また、ハンドルの角軸が嵌挿する一次ハブ４３の中心孔（嵌合孔）４８から偏心する偏心軸４９を二次ハブ４４の挿入孔５２に嵌め込む必要があるので、錠前側のカム、作動体等を十分に回転させるためには、二次ハブ４４の摺動面５０、挿入孔５２と嵌合孔５３との距離、嵌合孔５３の口径等を精密に成形する必要があるという問題点がある。
【先行技術文献】
【特許文献】
【０００８】
【特許文献１】特許第２８８３６０４号公報
【特許文献２】特公平７−１０３７３０号公報
【特許文献３】特開平１１−２８０５２１号公報
【発明の概要】
【発明が解決しようとする課題】
【０００９】
本発明の所期の目的は、外側操作部材の操作力に起因する大きな荷重（スライダーの伝達力）が、スライダーに設けたリミッター部材を介して錠前の構成部材側に直接かからないようにすることによって、錠前の内部機構を保護することである。本発明の第２の目的は、外側操作部材側の駆動体の回転量又は移動量に多少の差があっても、該回転量又は移動量の差をリミッター部材で解消（吸収）することができると共に、耐久性に優れていることである。
【課題を解決するための手段】
【００１０】
本願発明のドア用錠装置は、ドアを開閉するための操作部材と、該操作部材の操作力によって駆動されるようにケースに設けられた駆動体と、この駆動体の駆動力によって直線運動するように前記ケースに設けられかつリミッター部材を備えたスライダーと、該スライダーに連動するように前記ケースに設けられた回転体と、この回転体の回転力によって移動するように前記ケースとは別個の錠箱に設けられた施錠片とから成るドア用錠装置であって、前記リミッター部材は、前記回転体と係合する可動係合杆と、該可動係合杆に設けられた弾性要素とから成り、前記回転体が前記スライダーの移動中に停止した時に、さらに、該スライダーが前記操作部材の操作力によってそのまま移動し続けて前記可動係合杆を位置変位させた場合には、前記弾性要素は、該回転体に対する前記スライダーの荷重を緩和するように制御する収縮リミッターであることを特徴とする。
【発明の効果】
【００１１】
（ａ）外側操作部材の操作力に起因する大きな荷重（スライダーの伝達力）が錠前の構成部材に直接かからないようにすることができること。したがって、錠前の内部機構を保護することができる。
（ｂ）また実施形態のリミッター部材５１は、第２回転体と係合する可動係合杆５２と、該可動係合杆に設けられた弾性要素（収縮リミッター）５３とから成るので、特許文献１，又は特許文献２の係合ボール式のリミッター部材に比べて、外側操作部材に対して、「空回り」ではなく、ダンパー的な作用を与えることができるので、外側操作部材の回転量又は移動量に多少の差があっても、該回転量又は移動量の差を解消（吸収）することができると共に、耐久性に優れている。
（ｃ）請求項２に記載の発明は、錠止ボルトを備える錠前と、操作ハンドルを備えるハンドルユニット（台座、ケース、電源、駆動源、ロック機構など）が別体の扉錠装置であって、前記操作ハンドルの操作力を錠前の作動部材に伝達する場合に、前記錠前の作動部材を保護することができること。また外側操作部材用の台座部材、ケース、錠前をそれぞれ別個に設けることにより、前記台座部材（例えばハンドル用ケース）を極力薄型に製作することができる、或いは錠前の構成を複雑化しなくても済む。
（ｄ）請求項３又は請求項４に記載の発明は、外側操作部材の入力を適切な出力に変換して錠前の作動部材に伝達することができる。
（ｅ）請求項５に記載の発明は、例えば遠隔操作により、第１回転体を介して外側操作部材を間接的にロックすることができる。
（ｆ）請求項６に記載の発明は、例えば扉の内壁面に設けられた錠前がパニックバーを備え、該パニックバーの操作力でもって錠前の錠止ボルトを錠箱内に完全に戻すことができる。したがって、ホテルの客室の扉に適合することができる。
【図面の簡単な説明】
【００１２】
図１乃至図１１は本発明の第１実施形態を示す各説明図、図１２及び図１３は本発明の第２実施形態を示す各説明図、図１４及び図１５は本発明の第３実施形態を示す各説明図、図１６乃至図１８は本発明の第４実施形態を示す各説明図、図１９乃至図２１は本発明の第５実施形態を示す各説明図である。
【図１】本発明の使用態様の一例を示す斜視図。
【図２】平面視からの横断面概略説明図。
【図３】木口側からの縦断面概略説明図。
【図４】ロック装置を加味した正面視側からの概略説明図。
【図５】ドア用錠装置の主要部材の説明図（初期位置）  。
【図６】ドア用錠装置を構成する主要部材の説明図。
【図７】外側操作部材と、ドア用錠装置を示す斜視図。
【図８】サムターン摘み、又は／及びパニックバーと、ドア用錠装置を示す斜視図。
【図９】ドア用錠装置と、該動力変換装置とは別個の錠前の錠止ボルトを示す説明図。
【図１０】外側操作部材を操作したときの作動状態を示す説明図。（ａ）は第２回転体２２が所定量回転して停止した状態、（ｂ）はスライダー１４が外側操作部材２ｃの操作力によってそのまま移動し続けて可動係合杆５２を位置変位させた場合の状態。
【図１１】サムターン摘み、或いはパニックハンドルを操作した時の作動状態を示す説明図。（ａ）は第２回転体２２の初期状態、（ｂ）は第２回転体２２が所定量回転した状態。この時、第１回転体１２は動かない。
【図１２】第２実施形態を示す主要部の概略説明図。
【図１３】図１２の作動状態を示す概略説明図（初期位置）。
【図１４】第３実施形態を示す主要部の概略説明図。
【図１５】図１４の作動状態を示す概略説明図で、（ａ）は第２回転体２２が所定量回転して停止した状態、（ｂ）はスライダー１４が外側操作部材２ｃの操作力によってそのまま移動し続けて可動係合杆５２Ａを位置変位させた場合の状態。
【図１６】入力部（操作部材）とスライダーの一部を設計変更した第４実施形態の概略断面説明図。
【図１７】第４実施形態の図９と同様の説明図。
【図１８】（ａ）、（ｂ）は、第１実施形態の図１０（ａ）、（ｂ）と同様の説明図。
【図１９】入力部（操作部材）とスライダーの一部を設計変更した第５実施形態の概略断面説明図。
【図２０】第５実施形態の図９と同様の説明図。
【図２１】（ａ）、（ｂ）は、第１実施形態の図１０（ａ）、（ｂ）と同様の説明図。
【図２２】内側操作部材の一例を操作した時の説明図。
【発明を実施するための最良の形態】
【００１３】
以下、図面に基づいて第１実施形態を詳細に説明する。図１は本発明の使用態様の斜視図である。この図に於いて、まず１は建具としての扉で、例えばホテルの客室の出入り口に設けられている。もちろん、扉１はホテルの客室用に限定されない。手前側の見える一方の垂直壁面は扉の外壁面１ａ（客室の外）である。一方、向う側の見えない他方の垂直壁面は、扉の内壁面１ｂである。１ｃは扉の自由端部で、該自由端部１ｃの中央部には開口部１ｄが形成されている。扉１は取付け端部側の丁番を介して水平方向に開閉する。
【００１４】
次に、２は扉１の外壁面１ａに配設されたハンドルユニットである。このハンドルユニットは、例えばハンドル用の台座機能を有するユニットケース２ａと、該ユニットケース２ａ内に組み込まれた図示しないカードリーダ、該カードリーダが読み込んだ情報を制御する制御部、該制御部の制御情報を出力する出力部等で構成された情報制御装置２ｂと、前記ユニットケース２ａの軸孔に軸部が嵌め込まれた外側の操作部材としての外側操作部材（この実施形態では、Ｌ型のレバーハンドル）２ｃとで構成され、前記ユニットケース２ａの上端部には、客室の識別情報を有するカードキー（情報媒体）３を差し込むことができる挿入口（或いは差し込み口）４が設けられている。
【００１５】
次に、５は扉１の内壁面１ｂに配設された錠前で、この錠前の錠箱５ａには、図３に示す錠止ボルト出没機構５ｂが内設され、該錠止ボルト出没機構（錠前の作動部材）５ｂの作動によって、ラッチボルト、デットボルト等の錠止ボルト（施錠片）５ｃが水平方向に進退動する。
【００１６】
次に、６（６ａ，６ｂ）は、扉１の内壁面１ｂに配設された内側の操作部材としてのサムターン摘み６ａ又は／及びパニックバー６ｂ（図８、図１６を参照）で、この実施形態では、サムターン摘み６ａが錠箱５ａの外壁面に直接又は間接的に設けられている。サムターン摘み６ａを所定量（例えば略９０度）回すと、錠前の作動部材５ｂを介して錠止ボルト５ｃを錠箱５ａ内に完全に引っ込めることができる。また、錠止ボルト（施錠片）５ｃは、後述するケース１１に設けられた第２回転体（連動カム）２２が外側操作部材２ｃの操作力によって直線運動をするスライダー１４を介して直接又は間接的（可動係合杆５２）に所定量回転して停止した場合にも、錠箱５ａ内に完全に後退動する。
【００１７】
次に、Ｘは本発明の主要部であるドア用錠装置で、該ドア用錠装置Ｘは、本実施形態では、扉の自由端部１ｃの開口部１ｄに収納されている。すなわち、図１乃至図３で示すように、扉の一方の壁面に固定された外側操作部材用の台座部材２ａと、前記扉１の他方の壁面に設けられた錠前５と、この錠前と前記台座部材２ａとの間に介在（開口部１ｄに位置）し、かつ、ドア用錠装置の主要部材（図５参照）を収納するケース１１とで構成されている。
【００１８】
ここで、図４乃至図１０を参照にして、ドア用錠装置Ｘの主要部材を説明する。図４はハンドルロック装置Ｙを加味した正面視側からの概略説明図、図５はドア用錠装置の主要部材の説明図、図７は分解斜視図、図１０は作用の説明図である。これらの図に於いて、１１は前述したケースで、このケース１１は、フロントを有するケース本体１１ａと、該ケース本体１１ａの側壁開口を閉鎖する蓋体１１ｂとから構成さていれる。なお、ケース１１には、軸用貫通孔、ガイド部材用取付け孔、錠止ボルト用案内窓、スライダー用垂直案内長孔等が適宜に形成されている。
【００１９】
まず、１２は駆動体としての第１回転体（例えばハンドルカムやピニオン）で、この第１回転体１２は、前記ケース１１の中央部に回転自在に支持され、かつ、外側操作部材２ｃの操作力で所定量回転する（例えば３５度、４０度など）。しかして、第１回転体１２は、外側操作部材の角軸（軸部）２ｄが嵌挿するハブ部分１２ａと、該ハブ部分１２ａから半径外方に延在する駆動腕（駆動部分）１２ｂと、この駆動腕１２ｂの反対側で半径外方向に指状に突出する係合部１２ｃとから成り、前記駆動腕１２ｂの先端部の下面は、後述するスライダー１４の受部１４ｂに当接している（図５、図７参照）。
【００２０】
次に１４は、ケース１１に設けられたガイドピン２０、複数個（例えば４個）の垂直案内長孔２１等の案内手段を介して案内されるスライダーで、このスライダー１４は、長尺状のプレート部材であり、この実施形態では、ケース１１の内部に垂直状態に配設されている。しかして、該スライダーは第１回転体１２の駆動腕１２ｂと係合し、該第１回転体１２の駆動力によって、かつケース１１に内装された復帰バネ１３のバネ力に抗してケース１１の上下方向（実施形態では下方向）へ移動する。
【００２１】
ここでは図７を参照にしてスライダー１４の構成を説明する。スライダー１４は縦長状のプレートであり、その垂直板部分１４ａの下端部には垂直案内長孔１５ａが形成されている。またスライダー１４の中央部には、一側面から外方向に突出する受部１４ｂが設けられている。本実施形態では、前記受部１４ｂは、前述した駆動腕１２ｂと係合する上面が山形状の係合部分１６と、復帰バネ１３の一端部（上端部）を収納するバネ端支持部１７とを有する。さらに、スライダー１４の上端部には、後述するリミッター部材５１用の水平の支持部分１４ｃが設けられている。前記支持部分１４ｃは、合計４つの小突起１５ｂを有し、これらの小突起１５ｂはケース１１の上部側に形成された直案内長孔２１にそれぞれ係合する。したがって、縦長状のプレート状のスライダー１４は、前記支持部分１４ｃ、直案内長孔２１及びガイドピン２０を介して安定した状態で移動する。水平板状の支持部分１４ｃは、その中央部に貫通孔１５ｃを有し、該貫通孔１５ｃにリミッター部材５１の可動係合杆５２の首部分が係合する。
【００２２】
しかして、前記リミッター部材５１は、第２回転体２２の係止腕２２ｂと係合する可動係合杆５２と、該可動係合杆に巻装された弾性要素５３とから成り、前記第２回転体２２がスライダー１４の移動中に停止した時に、さらに、該スライダー１４が外側操作部材２ｃの操作力によってそのまま移動し続けて前記可動係合杆５２を位置変位させた場合には、前記弾性要素５３は、該第２回転体２２に対する前記スライダー１４の荷重を緩和するように制御する収縮リミッター（この実施形態ではバネ部材）である。
【００２３】
ところで、前記可動係合杆５２は、その外観形状は細長状の棒状体であり、スライダー１４の支持部分１４ｃに支持される扁平状頭部５２ａと、該扁平状頭部５２ａに分離可能に螺着する首部分５２ｂと、この首部分５２ｂに連続する胴体部分５２ｃと、この胴体部分５２ｃの下端部に周設された第２回転体２２用当接部分５２ｄとから成る。
【００２４】
したがって、ここで、図５及び図１０を参照にして作用を説明すると、図５は、外側操作部材を操作する前の初期状態であり、復帰バネ１３は伸長している。また、可動係合杆５２に設けられた弾性要素５３も伸長している。この図５の初期状態に於いて、レバーハンドル、プッシュ・プルハンドル等の外側操作部材を操作すると、第１回転体１２は、ハンドル軸部２ｄを介して時計方向Ａに回転し始める。第１回転体１２が時計方向Ａに回転し始めると、スライダー１４は下降し始める。この時、弾性要素としての収縮リミッター５３は、まだ収縮しない。
【００２５】
図１０の（ａ）は第２回転体２２が所定量回転して停止した状態、（ｂ）はスライダー１４が外側操作部材２ｃの操作力によってそのまま移動し続けて可動係合杆５２を位置変位させた場合の状態である。本実施形態では、図１０の（ｂ）で示すように、スライダー１４が第２回転体２２の回転量の限界を超えて下方へと移動した場合には、第２回転体２２の係合腕２２ｂでもって可動係合杆５２の下端部の当接部分（係合部分）５２ｄが持ち上げられ、その結果、前記当接部分５２ｄとスライダー１４の支持部分１４ｃの間にサンドイッチ状に存する収縮リミッター５３が収縮する。この収縮リミッター５３は、外側操作部材２ｃの操作力に対して「ダンパー機能」を発揮する。
【００２６】
次に１８は、スライダー１４の垂直板部分１４ａの中央部に形成された第２回転体２２用の被係合部（係合溝、係合孔、切欠など）である。１９はケース１１の後壁に沿うように配設された復帰バネ１３の下端部を支持するバネ受けである。
【００２７】
最後に、２２は第１回転体１２の上方（本実施形態）併設された第２回転体（本実施形態では連動カム）で、この第２回転体２２は、断面四角形或いは異径状の変換軸（出力軸）２３が嵌挿するハブ部分２２ａと、該ハブ部分２２ａから半径外方に延在する短杆状の係合腕２２ｂと、この係合腕２２ｂの側壁から水平方向に突出し、かつスライダー１４の被係合部１８に係合する係合ピン２２ｃとから成り、図６で示すように、第２回転体２２の回転中心からその係合腕２２ｂの先端までの距離ａは、第１回転体１２の回転中心からその駆動腕１２ｂの先端までの距離ｂよりも短い。付言すると、第２回転体２２は、スライダー１７の被係合部１８にその係合腕２２ｂが係合すると共に、第１回転体１２と別個独立していると共に、該第１回転体に連動するように前記ケース１１に回転自在に支持され、かつ前記外側操作部材２ｃの操作時に該第１回転体の回転角よりも大きく回転する（例えば７０度、８０度、９０度など）。
【００２８】
ここで、図４を参照にして、付加的要件である操作部材用のロック装置Ｙについて簡単に説明する。ロック装置Ｙは、例えばホテルの管理室側に配設された制御部５１と、この制御部５１で制御される駆動源（駆動モータ）５２と、この駆動源の駆動力により作動する係止片５３とから構成され、前記駆動源５２はケース１１内に横設されている。また、駆動源５２に交差する係止片５３の下端部は、第１回転体１２の指状係合部１２ｃと係脱する。なお、ケース１１には、ロック装置Ｙ用の電源（電池）３４が設けられている。
【００２９】
次に、図９はドア用錠装置Ｘと、該錠装置Ｘとは別個の錠前の錠止ボルト５ｃを示す説明図、図１０は外側操作部材を操作したときの作動状態を示す説明図、図１１はサムターン摘み６ａあるいは、パニックハンドル６ｂを操作した時の作動状態を示す説明図である。
【００３０】
前述したように、図９で示す錠止ボルト５ｃは、ケース１１ではなく、錠箱５ａに出没自在に設けられている。図１０は外側操作部材２ｃを操作した場合に於いて、錠止ボルト５ｃが錠箱５ａ内に完全に後退動する説明図である。図１０（ａ）の初期状態では、錠止ボルト５ｃが錠箱５ａから完全に突出している。復帰バネ１３は伸長している。駆動部材としての第１回転体１２の駆動腕１２ｂは角軸２ｄの中心よりも右上に位置している。また、連動部材としての第２回転体２２の係合腕２２ｂの係合ピン２２ｃも、第１回転体１２の駆動腕１２ｂと同様に変換軸（出力軸）２３の中心よりも右上に位置している。そして、外側操作部材２ｃの操作部分は水平状態である。
【００３１】
一方、図１０（ｂ）は外側操作部材２ｃの操作部分を所要量押し下げ状態を示す。外側操作部材２ｃを操作すると、その操作力は駆動腕１２ｂ及び受部１４ｂを介してスライダー１４に伝わり、スライダー１４は復帰バネ１３のバネ力に抗して矢印で示す下方へと移動する。したがって、復帰バネ１３は収縮する。この時、第２回転体２２は略同期して、或いは設計如何によっては、若干遅延して第１回転体１２と同じ方向へ回転するが、本実施形態では、第２回転体２２の回転中心からその係合腕２２ｂの先端（実施形態では係合ピン）までの距離ａは、第１回転体１２の回転中心からその駆動腕１２ｂの先端（実施形態では先端部分）までの距離ｂよりも短いので、例えば第１回転体１２が３０度、４０度等回転すると、第２回転体２２が７０度、９０度等回転する。このように、ドア用錠装置Ｘによって、外側操作部材２ｃの操作力を適切な出力に変換することができる。
【実施例】
【００３２】
図１２乃至図２２に示す本発明の他の実施形態について説明する。なお、他の実施形態の説明に当って、第１実施形態と同一の部分には同一又は同様の符号を付して重複する説明を割愛する。図１２及び図１３は本発明の第２実施形態を示す各説明図である。この第２実施形態が第１実施形態と主に異なる点は、縦長状のバネ受け部材２５をケース１１の後壁に沿って固定的に設けた点、このバネ受け部材２５の手前側の垂直壁２５ａ、該垂直壁に対向する向こう側の不番の垂直壁に弧状の案内長孔２６を形成した点、このバネ受け部材２５の上端部にストッパー機能及びケース蓋取り付け機能を有する横柱２７を設けた点、バネ受け部材２５はケース状に形成され、該ケース状のバネ受け部材２５の垂直壁２５ａの外側に第１回転体１２の駆動腕１２ｂの先端部（駆動部分）が位置している点、前記駆動腕１２ｂの先端部に駆動ピン２８が設けられ、この駆動ピン２８は前記弧状案内長孔２６に嵌挿されていると共に、ケース状バネ受け部材２５内に入り込んだスライダー１４の突起状受部１４ｂの貫通孔２９を貫通している点、ケース状バネ受け部材２５に復帰バネ１３の上端部に外嵌合するキャップ状の付勢体３０が内装されている点、ケース状バネ受け部材２５に内装された復帰バネ１３は、駆動腕１２ｂの駆動ピン２８に圧接する前記付勢体３０を介して伸縮する点である。この第２実施形態は、実施化レベルのもので、付勢手段３０をスムースに作動させる利点がある。
【００３３】
図１４及び図１５は本発明の第３実施形態を示す各説明図である。この第３実施形態が第１実施形態を回避するために設計変更したものである。これらの図に於いて、１２Ａは駆動体としての主動ギヤで、該主動ギヤ１２Ａは第１回転体に相当する。１２ｂはハブ部分１２ａに扇状に連設する駆動部分に弧状に形成された駆動歯１２ｂで、該駆動歯１２ｂは駆動腕１２ｂの先端部に相当する。１４Ａは主動ギヤ１２Ａに同期的に連動するラックで、このラック１４Ａは、下方に前記駆動歯１２ｂと係合（噛合）する第１係合歯１４ｂを有している。
【００３４】
ところで、この実施形態のリミッター部材５１Ａは、可動係合杆５２Ａの係合部分５２ｄの垂直壁に第２係合歯１８Ａが形成され、該第２係合歯１８Ａは第２回転体２２Ａに噛合する。５ｂ、５ｃは錠部の構成部材である。
【００３５】
したがって、この第３実施形態のドア用錠装置Ｘ１は、ケース１１に回転自在に支持されかつ外側操作部材２ｃの操作力で所定量回転する主動ギヤ１２Ａと、この主動ギヤ１２Ａと噛合し、該主動ギヤ１２Ａの駆動力によってかつ復帰バネ１３のバネ力に抗してケース１１の上下方向へ移動するラック１４Ａと、このラック１４Ａの上端部に設けられたリミッター部材５１Ａとから成る。この実施形態も、図１５の（ａ）、（ｂ）で示すように、第１実施形態と同様の作用・効果がある。
【００３６】
図１６乃至図１８は本発明の第４実施形態を示す各説明図である。この第４実施形態のドア用錠装置Ｘ２は第１実施形態の入力部（外側操作部材）を設計変更したものである。第１実施形態の外側ハンドル２ｃはＬ型のレバーハンドルであるのに対して、この第４実施形態の外側ハンドル２ｃはやや弧状に形成されたプッシュ・プル式のハンドルである。
【００３７】
このプッシュ・プル式ハンドルの構造は公知なので、簡単に説明する。２ａ、２ａは扉１の外壁面１ａに上下方向に所定間隔を有して固定された上下の台座である。これらの台座の一方は、第１実施形態と同様にユニットケースであっても良い。例えば一方の台座２ａに設けられた第１実施形態のハンドルカム１２に相当する部材は、不番の軸に軸支され、かつ、バネ７で復帰方向に付勢された作動リンク１２Ｂと、該動リンクに係合するように不番の軸に軸支された駆動体としての連動レバー１２Ｃである。
【００３８】
連動レバー１２Ｃは、図１７で示すように、スライダー１４Ｂの中央部に形成された係合部分（例えば係合長孔）１６Ｂに係合している。したがって、スライダー１４Ｂの係合部分１６Ｂの構成も第１実施形態のそれと相違する（図９の符号１６と対比）。図１８（ａ）と図１８（ｂ）は、第１実施形態の図１０（ａ）、（ｂ）と同様なので、重複説明は割愛する。
【００３９】
図１９乃至図２１は本発明の第５実施形態を示す各説明図である。この第５実施形態のドア用錠装置Ｘ３も、第４実施形態と同様に第１実施形態の入力部（外側操作部材）を設計変更したものである。第１実施形態の外側ハンドル２ｃはＬ型のレバーハンドルであるのに対して、この第５実施形態の外側ハンドル２ｃは、操作部分が板状に形成されたプッシュ・プル式のハンドルである。また、駆動体としての駆動腕１２Ｄは、台座２ａに設けた垂直軸３６に軸支され、その先端部分は、図２０で示すように、水平状態に配設してスライダー１４Ｃの中央部の係合部分１６Ｂに係合している。したがって、前記スライダー１４Ｃの構成は、第４実施形態と同様である。
【００４０】
この第５実施形態のスライダー１４Ｃは、図１９で示すように、外側ハンドル２ｃを矢印で示す手前側にプルすると、スライダー１４Ｃは矢印の方向へ水平移動する点が、第１実施形態と異なる。図２１（ａ）と図２１（ｂ）は、第１実施形態の図１０（ａ）、（ｂ）と同様なので、重複説明は割愛する。  このように、入力部やスライダーの一部を設計変更しても、第１実施形態と同様の作用・効果がある。
【００４１】
図２２は、内側操作部材の一例を操作した時の説明図である。内側操作部材６は、長杆状のパニックバー６ｂ（図８参照）である。このパニックバー６ｂは、図面左側の基端部が長尺状の取付け基板４０の架設された垂直軸４１に軸支され、一方、折り曲げ形成された自由端部４２は、錠箱５ａに設けられた垂直軸４３に回転自在に軸支された第１作動板４４の扇状係合部４４ａの一端面に押圧可能である。なお、パニックバー６ｂを手で押し込むと、パニックバー６ｂは、図示しないバネ部材のバネ力に抗して矢印方向（錠箱５ａ側）に接近する。すなわち、パニックバー６ｂを矢印方向へプッシュすると、その自由端部４２が扇状係合部４４ａの端面を押圧するので、第１作動板４４は垂直軸４３を中心にして矢印方向へと回転する。そうすると、錠箱５ａに設けられた変換軸２３を有する第２作動体４５が回転する。この時第２作動体４５の突起部分４５ａの端面に第１作動板４４の扇状係合部４４ａの他端面が当たる。その結果、変換軸２３と協働する錠前の作動部材（例えばサムターンダルマ）が回転し、錠止ボルト５ｃが錠箱５ａ内へ後退する。
【産業上の利用可能性】
【００４２】
本発明は錠前及び建具の分野で利用される。
【符号の説明】
【００４３】
Ｘ、Ｘ１、Ｘ２、Ｘ３…ドア用錠装置、Ｙ…ロック装置、１…扉、２…台座部材（ハンドルユニット）、２ｃ…外側操作部材、５…錠前、６…内側操作部材、１１…ケース、１２、１２Ａ…駆動部材（第１回転体、主動ギヤ）、１２ｂ…駆動部分（駆動腕、駆動歯）、１３…復帰バネ、１４、１４Ａ、１４Ｂ、１４Ｃ…スライダー、１４ａ…垂直板部分、１４ｂ…受部、１４ｃ…支持部分、１４Ａ…ラック、１５ａ…スライダーの垂直案内長孔、１５ｂ…支持部分の小突起、１５ｃ…貫通孔、２０…ケースのガイドピン、２１ケースの垂直案内長孔、２２…連動部材（第２回転体）、５１…リミッター部材、５２…可動係合杆、５３…弾性要素。
【図１】
2014037709.tif 000003
【図２】
2014037709.tif 000004
【図３】
2014037709.tif 000005
【図４】
2014037709.tif 000006
【図５】
2014037709.tif 000007
【図６】
2014037709.tif 000008
【図７】
2014037709.tif 000009
【図８】
2014037709.tif 000010
【図９】
2014037709.tif 000011
【図１０】
2014037709.tif 000012
【図１１】
2014037709.tif 000013
【図１２】
2014037709.tif 000014
【図１３】
2014037709.tif 000015
【図１４】
2014037709.tif 000016
【図１５】
2014037709.tif 000017
【図１６】
2014037709.tif 000018
【図１７】
2014037709.tif 000019
【図１８】
2014037709.tif 000020
【図１９】
2014037709.tif 000021
【図２０】
2014037709.tif 000022
【図２１】
2014037709.tif 000023
【図２２】
2014037709.tif 000024